(57)【要約】【課題】  容易にタッチパネル表面の清掃ができるタッチパネルクリーナー付きスタイラスペンを提供することである。【解決手段】  スタイラスペン１は、収容部を有するペン本体１０と、該収容部内に格納されている着脱可能なクリーナー２と、クリーナー２の格納と突出を切り替える操作部３とで構成される。ペン使用時には、クリーナー２はスタイラスペン１内部に格納されている。使用者はタッチパネル表面の清掃をする場合にのみ、格納されているクリーナー２をスタイラスペン１内部より突出させる。【選択図】  図３
2006228012.tif 000002
【特許請求の範囲】
【請求項１】
タッチセンサパネル上の任意の位置を指示するスタイラスペンにおいて、
格納部を有するペン本体と、前記格納部内から外方に向かって摺動可能に収納されるクリーナー部と、前記クリーナー部の格納と突出を切り替える切り替え操作部と、前記クリーナー部の突出位置と格納位置を選択的に保持する保持機構を有することを特徴とするタッチパネルクリーナー付きスタイラスペン。
【請求項２】
前記保持機構は、前記クリーナー部を内方向へ向けて付勢する付勢部材と、前記クリーナー部を外方向に摺動させる押し込み棒とで構成され、該押し込み棒は前記操作部に固定されていることを特徴とする請求項１記載のタッチパネルクリーナー付きスタイラスペン。
【請求項３】
前記付勢部材は前記収容部のペン軸方向両端部に設けられていることを特徴とする請求項２記載のタッチパネルクリーナー付きスタイラスペン。
【請求項４】
前記操作部の押し込みによって前記押し込み棒がペン先方向に移動すると共に、前記クリーナー部が外方向に摺動すること特徴とする請求項３記載のタッチパネルクリーナー付きスタイラスペン。
【請求項５】
前記押し込み棒は螺旋部を有し、前記操作部の回転に応じて前記押し込み棒がペン先方向に移動すると共に、前記クリーナー部が外方向に摺動すること特徴とする請求項３記載のタッチパネルクリーナー付きスタイラスペン。
【請求項６】
前記クリーナー部は前記ペン本体から着脱可能であること特徴とする請求項１〜５のいずれかに記載のタッチパネルクリーナー付きスタイラスペン。
【発明の詳細な説明】
【技術分野】
【０００１】
本発明は、例えばタッチセンサパネルを具備した携帯情報端末の手書き入力情報処理などにおいて用いられるペン状指示装置に関する。
【背景技術】
【０００２】
従来、タッチパネルを具備した携帯情報端末などの装置では、液晶画面上のアイコンをタッチする際、スタイラスペンを使用せず指で直接タッチすることで、指紋がタッチパネル表面上に付着したり、装置を手で持ち運ぶ際などに手の油分でタッチパネル表面が汚れることがあり、これにより液晶画面が見にくくなることがあった。従来はこのように液晶画面が見にくくなった場合、持っている布や着ている服などで拭き取ることが多かった。
【０００３】
また、以下に示す特許文献１では、ペン状指示装置を用いて入力を行うような電子機器において、各所の清掃作業を思い立ったとき直ちに行うことができ、しかも清掃用具一式の管理を容易化することのできるペン状指示装置が開示されている。
【０００４】
具体的には、タッチセンサパネル上の任意の位置を指示するペン状指示装置において、空洞部を有する筒状のペン本体と、このペン本体の一端に設けられたペン先部と、前記ペン本体内の空洞部を清掃用具の収納空間としてペン軸方向より開放／封鎖するよう前記ペン本体の他端に着脱可能に設けられた蓋部とを有する構造である。
【０００５】
【特許文献１】実開平６−８６１２７号公報
【発明の開示】
【発明が解決しようとする課題】
【０００６】
しかしこのような場合、タッチパネル表面を強く擦ってしまうことで障害の原因を生んだり、荒い布で拭き取ったり、爪を立てて拭き取った場合はタッチパネル表面に傷をつけるという問題が生じていた。
【０００７】
また、上記特許文献に開示されたペン状指示装置は、ピックアップレンズの清掃作業を思い立ったとき直ちに行うことができるのみで、タッチパネル表面の汚れを容易に清掃することを主眼において構成されているわけではない。かかる場合も、タッチパネル表面が汚れて液晶画面が見にくくなる状態においては、上記同様持っている布や着ている服などで拭き取らざるを負えなかった。
【０００８】
従って本発明の目的は、これらの問題点を解消し、かつ容易にタッチパネル表面の清掃ができるタッチパネルクリーナー付きスタイラスペンを提供することにある。
【課題を解決するための手段】
【０００９】
上記課題を解決するために、本件発明は、以下の特徴を有する課題を解決するための手段を採用している。
【００１０】
請求項１に記載された発明は、タッチセンサパネル上の任意の位置を指示するスタイラスペンにおいて、格納部を有するペン本体と、前記格納部内から外方に向かって摺動可能に収納されるクリーナー部と、前記クリーナー部の格納と突出を切り替える切り替え操作部と、前記クリーナー部の突出位置と格納位置を選択的に保持する保持機構を有することを特徴とする。
【００１１】
請求項２に記載された発明は、前記保持機構が、前記クリーナー部を内方向へ向けて付勢する付勢部材と、前記クリーナー部を外方向に摺動させる押し込み棒とで構成され、該押し込み棒が前記操作部に固定されていることを特徴とする。
【００１２】
請求項３に記載された発明は、前記付勢部材が前記収容部のペン軸方向両端部に設けられていることを特徴とする。
【００１３】
請求項４に記載された発明は、前記操作部の押し込みによって前記押し込み棒がペン先方向に移動すると共に、前記クリーナー部が外方向に摺動すること特徴とする。
【００１４】
請求項５に記載された発明は、前記押し込み棒が螺旋部を有し、前記操作部の回転に応じて前記押し込み棒がペン先方向に移動すると共に、前記クリーナー部が外方向に摺動すること特徴とする。
【００１５】
請求項６に記載された発明は、前記クリーナー部が前記ペン本体から着脱可能であること特徴とする。
【発明の効果】
【００１６】
本発明によれば、スタイラスペンが備えているクリーナーを使用することによって指紋などで汚れたタッチパネル表面を容易に清掃できる。
【００１７】
また、本発明によれば、通常使用時にはクリーナーがスタイラスペン内部に格納されているため、通常使用時にクリーナーそのものが汚れることを防ぐことができる。
【００１８】
さらに、本発明によれば、均一な力で一、二度スタイラスペンをスライドさせて汚れを拭き取ることによって、荒い布での拭き取り、爪を立てての拭き取りを行うことなく清掃できる。このためタッチパネル表面を強く擦することがなくなるのでパネル障害を防止することができる。
【発明を実施するための最良の形態】
【００１９】
以下、本発明の一実施の形態について図面を参照して詳細に説明する。図１はタッチパネルクリーナー付きスタイラスペンの構造を示した図であり、図２はタッチパネルを具備した情報端末装置上でタッチパネルクリーナー付きスタイラスペンをどのように使用するかを説明するための図である。
【００２０】
タッチパネルクリーナー付きスタイラスペン１は、収容部を有するペン本体１０と、収容部内に格納されるクリーナー２と、クリーナー２の格納と突出を切り替える操作部３とで構成されている。クリーナー２の材質は、例えば眼鏡拭きなどに使用される化学繊維（ポリエステル等）であり同様の効果を有するものであればこれに限定されるものではない。
【００２１】
クリーナー２の突出部分の長さは、スタイラスペンを情報端末装置４に図２のように水平に置いた際に、クリーナー２がタッチパネル表面上に接触する長さとする。
【００２２】
クリーナー２そのものが汚れた場合に、清掃及び交換可能なようにクリーナー２は取り外すことが可能である。
【００２３】
次に、本発明に係るタッチパネルクリーナー付きスタイラスペンの使用方法について説明する。通常スタイラスペンとして使用する場合は、クリーナー２は不要であるためクリーナー２はスタイラスペン１内部に格納されている。使用者はタッチパネル表面の清掃をする場合にのみ、格納されているクリーナー２をスタイラスペン１内部より突出させる。突出させた状態でクリーナー２をタッチパネル表面に当てて、スタイラスペン１を上下あるいは左右にスライドさせることで、タッチパネル表面の清掃を行う。
【００２４】
以下クリーナー２を格納及び突出させる方法について図３〜図５を参照して説明する。大きくクリーナー２の格納及び突出させる方法は押し込み式と回転式がある。図３は押し込み式スタイラスペンのクリーナー格納時の内部構造を示している。図４は押し込み式スタイラスペンのクリーナー突出時の内部構造を示している。図３に示すようにクリーナー２の突出方法は通常のノック式ボールペンと同じように操作部３を押し込むと、バネ８が縮み、押し込み棒５に押されて図４に示すようにクリーナー２がせり上がってくる。格納時には、クリーナー２はクリーナー押さえバネ６と７の弾性体（バネ）により押さえつけられているため、勝手に出てくることはない。クリーナー２を突出させた後、クリーナー２を格納する場合には、再度操作部３を元の位置に戻すことによってクリーナ２が格納される。図５（ａ），（ｂ），（ｃ）は、それぞれ図３のＡ−Ａ’断面、Ｂ−Ｂ’断面、Ｃ−Ｃ’断面である。図示しないがクリーナー２突出時にはＡ−Ａ’断面におけるクリーナー押さえバネ６は縮む。
【００２５】
図６は回転式スタイラスペンの押し込み棒近傍の内部構造を示している。尚、図示していないところは、上記した押し込み式と同様の構造である。クリーナー２の突出方法は、操作部３を手で回すことによって操作部３の一部に刻んである螺旋部９の進行方向（図の左方向）に沿って押し込み棒が移動し図４に示すのと同様にクリーナー２がせり上がってくる。クリーナ２を格納するには操作部３を突出時に回した方向とは逆方向に回すことによってクリーナー２が格納される。
【００２６】
上記した各実施の形態は、本発明を好適に実施した形態の一例に過ぎず、本発明は、その主旨を逸脱しない限り、種々変形して実施することが可能なものである。
【図面の簡単な説明】
【００２７】
【図１】タッチパネルクリーナー付きスタイラスペンの構造を示した図である。
【図２】タッチパネルを具備した端末装置上でのタッチパネルクリーナー付きスタイラスペンの使用方法を説明するための図である。
【図３】押し込み式スタイラスペンのクリーナー格納時の内部構造を示している。
【図４】押し込み式スタイラスペンのクリーナー突出時の内部構造を示している。
【図５】（ａ），（ｂ），（ｃ）は、それぞれ図３のＡ−Ａ’断面，Ｂ−Ｂ’断面，Ｃ−Ｃ’断面を示した図である。
【図６】回転式スタイラスペンの押し込み棒近傍の内部構造を示した図である。
【符号の説明】
【００２８】
１    タッチパネルクリーナー付きスタイラスペン
２    クリーナー
３    操作部
４    情報端末装置
５    押し込み棒
６，７    クリーナー押さえバネ
８    バネ
９    螺旋部
１０    ペン本体
【図１】
2006228012.tif 000003
【図２】
2006228012.tif 000004
【図３】
2006228012.tif 000005
【図４】
2006228012.tif 000006
【図５】
2006228012.tif 000007
【図６】
2006228012.tif 000008